(57)【要約】【課題】  揮発性薬剤の発散効率を向上させるとともに、揮発性薬剤の充填作業が煩雑化することを抑制することができる揮発性薬剤容器を提供することを目的とする。【解決手段】  貫通孔１２が形成されたプレート１３と、プレート１３の両側に形成され、貫通孔１２によって互いに連通された２つの薬剤収容部１５ａ，１５ｂとを備え、薬剤収容部１５ａ，１５ｂには、揮発性薬剤４を発散させるための開口部１１ａ，１１ｂがプレート１３に対向するようにそれぞれ設けられ、開口部１１ａ，１１ｂは、取り外し可能なシール材３ａ，３ｂによりそれぞれ封止される。【選択図】  図２
2014230629.tif 000002
【特許請求の範囲】
【請求項１】
貫通孔が形成されたプレートと、
上記プレートの両側に形成され、上記貫通孔によって互いに連通された２つの薬剤収容部とを備え、
上記薬剤収容部には、揮発性薬剤を発散させるための開口部が上記プレートに対向するようにそれぞれ設けられ、
上記開口部は、取り外し可能なシール材によりそれぞれ封止されることを特徴とする揮発性薬剤容器。
【発明の詳細な説明】
【技術分野】
【０００１】
本発明は、揮発性薬剤容器に係り、更に詳しくは、揮発性薬剤を発散させるための２つの開口部が互いに対向するように形成された揮発性薬剤容器の改良に関する。
【背景技術】
【０００２】
芳香剤発散器は、その内部に保持される芳香剤を空気中に発散させることにより、室内に香りを供給する器具である。芳香剤には、液状及びゲル状のものが知られているが、液状の芳香剤は、芳香剤発散器が転倒したときに漏出する場合があるという欠点があるため、ゲル状の芳香剤が広く用いられている（例えば、特許文献１）。
【０００３】
特許文献１には、揮発性薬剤を加熱して薬剤容器に流し込んだ後、冷却して固化させることが記載されている。ゲル状の揮発性薬剤は、加熱した状態では液体であるが、冷却すると固化してゲルとなる。このため、このような方法により、ゲル状の揮発性薬剤を任意の形状の薬剤容器に充填することができる。
【０００４】
この種の薬剤容器には、揮発性薬剤を発散させるための開口部が形成されており、この開口部は、揮発性薬剤を薬剤容器内に充填するときにも利用される。この開口部を大きくすれば、揮発性薬剤の発散効率を向上させることができる。特に、薬剤容器の対向面に大きな開口部をそれぞれ設ければ、発散効率を顕著に向上させることができるのに加えて、室内に広く拡散させることができ、望ましいと考えられる。ところが、薬剤容器の両面に開口部を設けた場合、体積が減少した揮発性薬剤が薬剤容器内において偏在し、発散効率が低下するという問題があった。
【０００５】
このような問題を解決しようとすれば、薬剤容器内に仕切り板を設けることが考えられる。つまり、一面を開口させた２つの容器の底面を重ね合わせた形状からなる容器が考えられる。この様な薬剤容器であれば、揮発性薬剤が仕切り板によって支持され、偏在しにくくなり、発散効率の低下を抑制することができる。しかしながら、この場合には仕切り板によって隔てられた２つの薬剤収容部に対し、異なる開口部から揮発性薬剤をそれぞれ充填する必要があり、揮発性薬剤の充填作業が煩雑になるという問題があった。
【先行技術文献】
【特許文献】
【０００６】
【特許文献１】特開２００４−１９６３５４号公報
【発明の概要】
【発明が解決しようとする課題】
【０００７】
本発明は、上記の事情に鑑みてなされたものであり、揮発性薬剤の発散効率を向上させた揮発性薬剤容器を提供することを目的とする。特に、揮発性薬剤の発散効率を向上させるとともに、広く拡散させることを目的とする。また、揮発性薬剤の体積が減少した場合における発散効率の低下を抑制することを目的とする。さらに、揮発性薬剤の充填作業を煩雑化させることなく、揮発性薬剤の発散効率を向上させることを目的とする。
【課題を解決するための手段】
【０００８】
本発明による揮発性薬剤容器は、貫通孔が形成されたプレートと、上記プレートの両側に形成され、上記貫通孔によって互いに連通された２つの薬剤収容部とを備え、上記薬剤収容部には、揮発性薬剤を発散させるための開口部が上記プレートに対向するようにそれぞれ設けられ、上記開口部は、取り外し可能なシール材によりそれぞれ封止されるように形成されるように構成される。
【０００９】
この揮発性薬剤容器は、プレートにより仕切られた２つの薬剤収容部に対し、開口部がそれぞれ形成されている。このため、薬剤収容部内に収容された揮発性薬剤を効率よく発散させることができる。
【００１０】
また、プレートには貫通孔が形成され、２つの薬剤収容部は、当該貫通孔により互いに連通されている。このため、薬剤収容部に収容される揮発性薬剤は、貫通孔を介して一体化され、貫通孔により支持される。従って、体積が減少しても、揮発性薬剤は、薬剤収容部内において移動せず、偏在による表面積の減少により、発散効率が低下するのを抑制することができる。
【００１１】
さらに、プレートに貫通孔を形成することにより、いずれか一方の開口部をシール材で封止すれば、２つの薬剤収容部のいずれに対しても、他方の開口部から揮発性薬剤を充填することができる。このため、揮発性薬剤の充填作業を煩雑化することなく、揮発性薬剤の発散効率を向上させることができる。
【発明の効果】
【００１２】
本発明によれば、揮発性薬剤の発散効率を向上させた揮発性薬剤容器を提供することができる。特に、対向する２つの開口部を備えることにより、揮発性薬剤を広く拡散させつつ、発散効率を向上させることを目的とする。また、プレートに貫通孔を形成することにより、揮発性薬剤の体積が減少した場合における発散効率の低下を抑制することができる。さらに、プレートに貫通孔を形成し、開口部をシール材で封止することにより、揮発性薬剤の充填作業を煩雑化することなく、揮発性薬剤の発散効率を向上させることができる。
【図面の簡単な説明】
【００１３】
【図１】本発明の実施の形態１による芳香剤発散器１００の一構成例を示した外観図である。
【図２】図１の芳香剤発散器１００を部品ごとに展開させた展開斜視図である。
【図３】図２の芳香剤容器１をＡ−Ａ切断線により切断した場合の断面図である。
【図４】使用開始前の芳香剤容器１の一構成例を示した断面図である。
【図５】使用開始後の芳香剤容器１の一構成例を示した断面図である。
【図６】図１の芳香剤発散器１００の製造工程の一例を示した説明図である。
【図７】本発明の実施の形態２による芳香剤発散器２００の一構成例を示した外観図である。
【図８】芳香剤容器５の一構成例を示した図である。
【図９】図７の芳香剤発散器２００をＢ−Ｂ切断線により切断した場合の断面図である。
【発明を実施するための形態】
【００１４】
実施の形態１．
図１〜図３は、本発明の実施の形態１による芳香剤発散器１００の一構成例を示した図である。図１は、芳香剤発散器１００の外観図であり、図２は、図１の芳香剤発散器１００を部品ごとに展開させた展開斜視図である。図３は、図２の芳香剤容器１をＡ−Ａ切断線により切断した場合の断面図である。
【００１５】
芳香剤発散器１００は、揮発性の芳香剤を保持し、空気中に発散させるための発散器具である。ここでは、揮発性薬剤として芳香剤を発散させる芳香剤発散器の例について説明するが、本発明は、このような芳香剤発散器１００のみに限定されない。すなわち、本発明は、任意の揮発性薬剤、例えば、消臭剤、防虫剤、防カビ剤、殺虫剤などを発散させる揮発性薬剤発散器に適用することもできる。
【００１６】
芳香剤発散器１００は、芳香剤容器１、前面板２ａ及び背面板２ｂにより構成される。芳香剤容器１は、芳香剤を収容するための揮発性薬剤容器であり、その前面及び背面に開口部１１ａ，１１ｂが形成された筒形状、例えば、円筒形状からなる。前面板２ａ及び背面板２ｂは、外観を良好にするための飾りカバーであり、芳香剤容器１の前面及び背面をそれぞれ覆う板状体からなる。
【００１７】
芳香剤容器１は、複数の貫通孔１２が形成された円板状のプレート１３と、プレート１３の周縁部に沿って形成されたフレーム部１４とにより構成される。フレーム部１４は、プレート１３と直交するように前後方向に延びる壁部であり、プレート１３の両側には、フレーム部１４で囲まれた薬剤収容部１５ａ，１５ｂが、それぞれ形成されている。つまり、２つの薬剤収容部１５ａ，１５ｂは、プレート１３により仕切られるとともに、貫通孔１２を介して連通されている。また、芳香剤容器１は、前後方向の長さがプレート１３の幅に比べて短く、その前面及び背面を主面とする薄型形状からなり、これらの前面及び背面には、それぞれの面全体を開放させる開口部１１ａ，１１ｂが形成されている。
【００１８】
前面板２ａには、多数のスリット２１ａ、２個の脚部２２ａ及び４本の係合突起部２３ａが設けられている。スリット２１ａは、芳香剤を発散させるための通気孔である。脚部２２ａは、芳香剤容器１の前面及び背面が水平方向を向くように、芳香剤発散器１００を立設するための立設支持手段であり、径方向に突出する半円形の突起部からなる。係合突起部２３ａは、後方へ延びる柱状部材であり、前面板２ａの周縁部に４本の係合突起部２３ａが形成されている。これらの係合突起部２３ａの先端には、背面板２ｂと係合するための凸部がそれぞれ形成されている。
【００１９】
背面板２ｂは、多数のスリット２１ｂ、２個の脚部２２ｂ及び４本の係合突起部２３ｂにより構成される。スリット２１ｂ及び脚部２２ｂは、それぞれ前面板２ａのスリット２１ａ及び脚部２２ａと同様の構成であるため、説明を省略する。係合突起部２３ｂは、前方へ延びる柱状部材であり、前面板２ａの係合突起部２３ａにそれぞれ対応する位置に４本の係合突起部２３ｂが形成されている。これらの係合突起部２３ｂの先端には、係合突起部２３ａの凸部を挿入するための凹部が形成されている。
【００２０】
芳香剤発散器１００は、前面板２ａ及び背面板２ｂの間に芳香剤容器１が挟まれるように、係合突起部２３ａの凸部と、係合突起部２３ｂの凹部とをそれぞれ嵌合させることによって組み立てられる。
【００２１】
図４及び図５は、使用開始前後における芳香剤容器１の一構成例を示した断面図であり、図４には、使用開始前における芳香剤容器１の様子が示され、図５には、使用開始後における芳香剤容器１の様子が示されている。
【００２２】
芳香剤容器１内には、２つの薬剤収容部１５ａ，１５ｂが形成されている。薬剤収容部１５ａ，１５ｂは、ともにフレーム部１４で囲まれ、プレート１３によって互いに仕切られた空間からなる。また、プレート１３よりも前方の薬剤収容部１５ａには、プレート１３の主面に対向する開口部１１ａが設けられ、プレート１３よりも後方の薬剤収容部１５ｂには、プレート１３の主面に対向する開口部１１ｂが設けられている。さらに、薬剤収容部１５ａ，１５ｂは、貫通孔１２を介して互いに連通している。
【００２３】
これらの薬剤収容部１５ａ，１５ｂには、揮発性ゲルの芳香剤４がそれぞれ収容されている。芳香剤４は、貫通孔１２内にも充填され、薬剤収容部１５ａ，１５ｂ内の芳香剤は、貫通孔１２を介して一体化している。芳香剤４には、例えば、水にカラギーナン、ローカストビーンガム、ジュランガムなどのゲル化剤を分散させ、更に、香料成分や界面活性剤などを添加したものが用いられる。
【００２４】
使用開始前の芳香剤容器１は、薬剤収容部１５ａ，１５ｂの大部分に芳香剤４が収容されている。また、芳香剤４が揮発するのを防止するために、開口部１１ａ，１１ｂには、シール材３ａ，３ｂがそれぞれ設けられている。シール材３ａ，３ｂは、薬剤収容部１５ａ，１５ｂを密封するために、上記開口部１１ａ，１１ｂを封止する手段であり、例えば、樹脂製、ゴム製又は金属製の封止キャップが用いられる。また、封止キャップに代えて、開口部１１ａ，１１ｂの周縁部に貼付されたアルミシート、ＰＥ（ポリエチレン）又はＰＶＣ（ポリ塩化ビニル）からなる樹脂シートなどを用いることもできる。
【００２５】
シール材３ａ，３ｂは、利用者が容易に取り外すことができるように構成され、使用開始時に取り外される。利用者がシール材３ａ，３ｂを剥離すれば、密封されていた薬剤収容部１５ａ，１５ｂが、開口部１１ａ，１１ｂを介して、外部と連通するようになり、室内に芳香剤４を発散させることができる。この芳香剤発散器１００は、芳香剤容器１が薄型形状からなり、その両主面に開口部１１ａ，１１ｂが形成されているため、広い開口面積を確保することができ、高い発散効率を実現することができる。また、開口部１１ａ，１１ｂは、ともに水平方向であって、互いに反対の方向を向いているため、部屋全体に香りを発散させることができる。
【００２６】
シール材３ａ，３ｂを取り外した後、芳香剤４は、徐々に蒸発し、その体積が減少する。このとき、芳香剤４は、開口部１１ａ，１１ｂに近い部分から蒸発していき、プレート１３に近い部分が残る。一般に、体積が小さくなった芳香剤４は芳香剤容器１内で移動し、その位置が偏ることにより表面積が減少してしまう。これに対し、芳香剤発散器１００では、薬剤収容部１５ａ，１５ｂ内の芳香剤４が、プレート１３を挟み込んだ状態で、貫通孔１２によって、芳香剤容器１内の中央に保持されている。つまり、前後方向はもちろん、上下左右方向にも移動しないように保持されている。このため、芳香剤４の体積が減少しても、その位置が偏ることはなく、発散効果が低下するのを抑制することができる。
【００２７】
図５は、図１の芳香剤発散器１００の製造時における一構成例を示した説明図であり、芳香剤容器１に芳香剤４を充填する際の様子が示されている。芳香剤４は、加熱された液体の状態でノズル４０から芳香剤容器１内に充填される。
【００２８】
芳香剤容器１は、互いに対向する前面及び背面に開口部１１ａ，１１ｂがそれぞれ形成されている。このため、一方の開口部１１ｂをシール材によって封止した後に、他方の開口部１１ａから芳香剤４が流し込まれる。開口部１１ａから薬剤収容部１５ａへ流し込まれた芳香剤４は、貫通孔１２を介して、薬剤収容部１５ｂにも流れ込み、薬剤収容部１５ａ，１５ｂのいずれにも、芳香剤４が充填される。芳香剤容器１に充填された芳香剤４は、自然冷却により固化してゲルとなり、他方の開口部１１ａは、その後に封止される。
【００２９】
芳香剤４の体積は冷却によって減少するため、芳香剤４が流し込まれた他方の開口部１１ａ側の薬剤収容部１５ａは、一方の開口部１１ｂ側の薬剤収容部１５ｂに比べて、充填される芳香剤４がやや少なくなる。
【００３０】
本実施の形態による芳香剤発散器１００は、薄型形状からなる芳香剤容器１の対向する両主面に開口部１１ａ，１１ｂが形成されている。このため、大きな開口部面積を確保することができ、高い発散効率を得ることができる。また、芳香剤容器１の主面が水平方向を向くように立設することにより、香りを室内全体に広く拡散させることができる。
【００３１】
また、芳香剤容器１の内部空間は、プレート１３によって２つの薬剤収容部１５ａ，１５ｂに仕切られている。また、プレート１３には、貫通孔１２が形成され、２つの薬剤収容部１５ａ，１５ｂは互いに連通している。このため、薬剤収容部１５ａ，１５ｂ内の芳香剤４は、貫通孔１２を介して一体化され、プレート１３を挟み込んだ状態で、貫通孔１２により保持されている。従って、芳香剤４は、体積が減少しても、芳香剤容器１の中央に固定的に支持され、芳香剤容器１内で偏って配置されることにより、表面積が低下し、発散効率が低下するのを防止することができる。
【００３２】
さらに、薬剤収容部１５ａ、１５ｂが、貫通孔１２を介して連通されているため、一方の開口部を封止して、他方の開口部から芳香剤４を流し込めば、両方の薬剤収容部１５ａ，１５ｂに芳香剤を充填することができる。つまり、薬剤収容部１５ａ，１５ｂごとに、芳香剤４を充填する必要がなく、製造工程を簡略化することができ、製造コストの増大を抑制することができる。
【００３３】
なお、上記実施の形態では、開口部１１ａ，１１ｂが、芳香剤容器１の前面及び背面の全面に形成されている場合の例について説明したが、本発明は、このような構成のみに限定されない。開口部１１ａ，１１ｂは、その面積が広い方が望ましいが、必ずしも全面及び背面の面全体に形成されていなくてもよい。
【００３４】
また、上記実施の形態では、貫通孔１２がプレート１３の中央に形成されている場合の例について説明したが、本発明は、このような構成のみに限定されない。貫通孔１２は、体積が減少した芳香剤を保持することができればよく、プレート１３の中央に形成されていなくてもよい。
【００３５】
実施の形態２．
実施の形態１では、芳香剤容器１の両主面に前面板２ａ及び背面板２ｂが設けられた芳香剤発散器１００の例について説明した。これに対し、本実施の形態では、芳香剤容器がカバーで覆われた芳香剤発散器２００の例について説明する。
【００３６】
図６〜図８は、本発明の実施の形態２による芳香剤発散器２００の一構成例を示した図である。図６は、芳香剤発散器２００の外観図であり、カバー６が示されている。図７は、図６の芳香剤発散器２００からカバー６を取り外した場合の様子を示した図であり、芳香剤容器５が示されている。図８は、図６の芳香剤発散器２００をＢ−Ｂ切断線により切断した場合の断面図である。
【００３７】
芳香剤発散器２００は、芳香剤容器５がカバー６で覆われて構成されている。芳香剤容器５は、薄型の矩形形状からなり、その両主面には、その全面を開放させた開口部５１ａ，５１ｂがそれぞれ形成されている。カバー６は、底面を開放させた薄型の矩形形状からなり、その内寸は、芳香剤容器５の外寸よりもやや大きく形成されている。また、カバー６の両主面には、多数のスリット６１ａ，６１ｂが形成され、芳香剤容器５の開口部５１ａ，５１ｂとそれぞれ対向している。
【００３８】
芳香剤容器５の内部空間は、中央に貫通孔５２が形成されたプレート５３により、２つの薬剤収容部に仕切られている。各薬剤収容部には、揮発性ゲル状の芳香剤４が充填され、これらの芳香剤は、貫通孔５２を介して一体化されている。
【００３９】
開口部５１ａ，５１ｂは、シール材で封止され、芳香剤容器５の内部空間を密封している。芳香剤４の充填は、一方の開口部５１ｂをシール材で封止した上で、他方の開口部５１ａから芳香剤４を流し込むことによって行われる。このため、２つの薬剤収容部に対する芳香剤の充填は、同じ開口部を介して、同時に行うことができる。
【符号の説明】
【００４０】
１    芳香剤容器（揮発性薬剤容器）
２ａ  前面板
２ｂ  背面板
３ａ，３ｂ  シール材
４    芳香剤
５    芳香剤容器
６    カバー
１１ａ，１１ｂ    開口部
１２    貫通孔
１３    プレート
１４    フレーム部
１５ａ，１５ｂ    薬剤収容部
２１ａ，２１ｂ    スリット
２２ａ，２２ｂ    脚部
２３ａ，２３ｂ    係合突起部
５１ａ，５１ｂ    開口部
５２    貫通孔
５３    プレート
６１ａ，６１ｂ    スリット
１００，２００    芳香剤発散器
【図１】
2014230629.tif 000003
【図２】
2014230629.tif 000004
【図３】
2014230629.tif 000005
【図４】
2014230629.tif 000006
【図５】
2014230629.tif 000007
【図６】
2014230629.tif 000008
【図７】
2014230629.tif 000009
【図８】
2014230629.tif 000010
【図９】
2014230629.tif 000011